【事件の表示】
　特願２０１１−５０３９１４「ディスク媒体再生装置のデータアプリケーションの提供方法」拒絶査定不服審判事件〔平成２１年１０月１５日国際公開、ＷＯ２００９／１２６０００、平成２３年　６月２３日国内公表、特表２０１１−５１８４０１、請求項の数（１１）〕について、次のとおり審決する。
【結　論】
　原査定を取り消す。
　本願の発明は、特許すべきものとする。
【理　由】
　 
第１　手続の経緯  
　  
　本願は、２００９年４月１０日（パリ条約による優先権主張　外国庁受理　２００８年４月１０日　韓国）を国際出願日とする出願であって、平成２４年９月１１日付けの拒絶理由通知に対して同年１２月１８日付けで手続補正がなされたが、平成２５年１月１０日付けで拒絶査定がなされ、これに対し、同年５月１５日付けで拒絶査定不服審判が請求されるとともに手続補正がなされ、同年６月２７日付けの審尋に対し、同年１０月１日付けで回答書が提出されたものである。
　
　
第２　平成２５年５月１５日付けの手続補正（以下「本件補正」という。）の適否  
　  
１　本件補正  
　  
　本件補正は、特許請求の範囲について、本件補正前に、  
「【請求項１】
　ディスク媒体再生装置のデータアプリケーションの提供方法において、
　（ａ）前記データアプリケーションの場面に対する場面構成情報を獲得する段階と、
　（ｂ）前記場面構成情報に基づいて前記場面を構成する一つ以上のコンポーネントを獲得する段階と、
　（ｃ）前記場面構成情報および前記一つ以上のコンポーネントに基づいて前記データアプリケーションを提供する段階と、
を含み、
　前記場面構成情報は、前記ディスク媒体再生装置の識別情報および前記ディスク媒体再生装置を使う使用者の識別情報中、少なくとも一つに基づいて選択される場面に対する場面構成を定義することを特徴とするデータアプリケーションの提供方法。
　　【請求項２】
　前記（ｃ）段階は、
　（ｃ−１）前記場面構成情報に基づいて前記場面に対するレイアウトを構成する段階と、
　（ｃ−２）前記レイアウトによって前記一つ以上のコンポーネントをディスプレイする段階と、
を含み、
　前記（ｃ−２）段階は前記一つ以上のコンポーネントを受信した順序に前記レイアウトによってディスプレイする段階を含むことを特徴とする請求項１に記載のデータアプリケーションの提供方法。
　　【請求項３】
　前記（ａ）段階は前記ディスク媒体再生装置に挿入されるディスク媒体を読み取って前記場面構成情報を獲得する段階を含むことを特徴とする請求項１に記載のデータアプリケーションの提供方法。
　　【請求項４】
　前記（ａ）段階は前記ディスク媒体再生装置内に保存された前記場面構成情報を獲得する段階を含むことを特徴とする請求項１に記載のデータアプリケーションの提供方法。
　　【請求項５】
　前記（ａ）段階は通信網を通じて前記場面構成情報を受信する段階を含むことを特徴とする請求項１に記載のデータアプリケーションの提供方法。
　　【請求項６】
　前記（ａ）段階は前記ディスク媒体再生装置と連結された保存装置から前記場面構成情報を獲得する段階を含むことを特徴とする請求項１に記載のデータアプリケーションの提供方法。
　　【請求項７】
　前記場面構成情報は前記場面構成情報を解釈するための実行コードを含むことを特徴とする請求項１に記載のデータアプリケーションの提供方法。
　　【請求項８】
　前記場面構成情報は前記場面に対するテキストデータを含むことを特徴とする請求項１に記載のデータアプリケーションの提供方法。
　　【請求項９】
　前記一つ以上のコンポーネント各々は、独立的に実行可能な実行コード、テキストデータ、イメージデータ、オーディオデータおよび動画データ中、少なくとも一つを含むことを特徴とする請求項１に記載のデータアプリケーションの提供方法。
　　【請求項１０】
　前記場面構成情報は前記一つ以上のコンポーネント各々に対する位置情報を含むものであって、
　前記（ｂ）段階は前記位置情報に基づいて前記一つ以上のコンポーネントを獲得する段階、
を含むことを特徴とする請求項１に記載のデータアプリケーションの提供方法。
　　【請求項１１】
　前記位置情報中、少なくとも一つ以上はダウンロード位置情報を含み、
　前記（ｂ）段階は、
　（ｂ−１）前記一つ以上のコンポーネントを提供する装置に前記一つ以上のコンポーネントに対する伝送要請を送信する段階と、
　（ｂ−２）前記ダウンロード位置情報によって前記装置から前記一つ以上のコンポーネント各々を受信する段階と、
を含むことを特徴とする請求項１０に記載のデータアプリケーションの提供方法。
　　【請求項１２】
　前記伝送要請は前記ディスク媒体再生装置の識別情報および前記ディスク媒体再生装置を使う使用者の識別情報のいずれか一つを含むことを特徴とする請求項１１に記載のデータアプリケーションの提供方法。」  
とあったところを、  
　  
「【請求項１】
　ディスク媒体再生装置のデータアプリケーションの提供方法において、
　（ａ）前記データアプリケーションの場面に対する場面構成情報を獲得する段階と、
　（ｂ）前記場面構成情報に基づいて前記場面を構成する２つ以上のコンポーネントを獲得する段階と、
　（ｃ）前記場面構成情報および前記２つ以上のコンポーネントに基づいて前記データアプリケーションを提供する段階と、
を含み、
　前記場面構成情報は、前記ディスク媒体再生装置の識別情報および前記ディスク媒体再生装置を使う使用者の識別情報中、少なくとも一つに基づいて選択される場面に対する場面構成を定義し、
　前記場面構成情報は、前記２つ以上のコンポーネントの配置を定義するレイアウト情報を含み、
　前記（ｃ）段階は、
　（ｃ−１）前記レイアウト情報に基づいて前記場面に対するレイアウトを構成する段階と、
　（ｃ−２）前記レイアウトに従って前記２つ以上のコンポーネントを各々ディスプレイする段階と、
を含み、
　前記（ｃ−２）段階は、前記２つ以上のコンポーネントのうち１つのコンポーネントを受信後ディスプレイした後に別のコンポーネントを受信後ディスプレイするように、受信した順序に従って各コンポーネントを順次ディスプレイする段階を含むことを特徴とするデータアプリケーションの提供方法。
　　【請求項２】
　前記（ａ）段階は前記ディスク媒体再生装置に挿入されるディスク媒体を読み取って前記場面構成情報を獲得する段階を含むことを特徴とする請求項１に記載のデータアプリケーションの提供方法。
　　【請求項３】
　前記（ａ）段階は前記ディスク媒体再生装置内に保存された前記場面構成情報を獲得する段階を含むことを特徴とする請求項１に記載のデータアプリケーションの提供方法。
　　【請求項４】
　前記（ａ）段階は通信網を通じて前記場面構成情報を受信する段階を含むことを特徴とする請求項１に記載のデータアプリケーションの提供方法。
　　【請求項５】
　前記（ａ）段階は前記ディスク媒体再生装置と連結された保存装置から前記場面構成情報を獲得する段階を含むことを特徴とする請求項１に記載のデータアプリケーションの提供方法。
　　【請求項６】
　前記場面構成情報は前記場面構成情報を解釈するための実行コードを含むことを特徴とする請求項１に記載のデータアプリケーションの提供方法。
　　【請求項７】
　前記場面構成情報は前記場面に対するテキストデータを含むことを特徴とする請求項１に記載のデータアプリケーションの提供方法。
　　【請求項８】
　前記一つ以上のコンポーネント各々は、独立的に実行可能な実行コード、テキストデータ、イメージデータ、オーディオデータおよび動画データ中、少なくとも一つを含むことを特徴とする請求項１に記載のデータアプリケーションの提供方法。
　　【請求項９】
　前記場面構成情報は前記一つ以上のコンポーネント各々に対する位置情報を含むものであって、
　前記（ｂ）段階は前記位置情報に基づいて前記一つ以上のコンポーネントを獲得する段階、
を含むことを特徴とする請求項１に記載のデータアプリケーションの提供方法。
　　【請求項１０】
　前記位置情報中、少なくとも一つ以上はダウンロード位置情報を含み、
　前記（ｂ）段階は、
　（ｂ−１）前記一つ以上のコンポーネントを提供する装置に前記一つ以上のコンポーネントに対する伝送要請を送信する段階と、
　（ｂ−２）前記ダウンロード位置情報によって前記装置から前記一つ以上のコンポーネント各々を受信する段階と、
を含むことを特徴とする請求項９に記載のデータアプリケーションの提供方法。
　　【請求項１１】
　前記伝送要請は前記ディスク媒体再生装置の識別情報および前記ディスク媒体再生装置を使う使用者の識別情報のいずれか一つを含むことを特徴とする請求項１０に記載のデータアプリケーションの提供方法。」  
とすることを含むものである。  
　  
　本件補正について検討するに、  
　
　本件補正は、本件補正前の請求項２を独立形式請求項として請求項１としたうえで、「前記場面構成情報は、前記２つ以上のコンポーネントの配置を定義するレイアウト情報を含み、」との特定事項を追加して限定し、本件補正前の請求項２の「（ｃ−１）前記場面構成情報に基づいて」との特定事項を、「（ｃ−１）前記レイアウト情報に基づいて」として場面構成情報の下位概念であるレイアウト情報に限定し、同「前記（ｃ−２）段階は前記一つ以上のコンポーネントを受信した順序に前記レイアウトによってディスプレイする段階」との特定事項を、「前記（ｃ−２）段階は、前記２つ以上のコンポーネントのうち１つのコンポーネントを受信後ディスプレイした後に別のコンポーネントを受信後ディスプレイするように、受信した順序に従って各コンポーネントを順次ディスプレイする段階」と限定し、同「一つ以上のコンポーネント」との特定事項を、「２つ以上のコンポーネント」と限定するものである。
　そして、本件補正前の請求項２を独立形式請求項として請求項１としたことに伴い、他の請求項の項番号を繰り上げ、また補正前の請求項１１、１２において、引用する請求項の項番号を繰り上げて請求項１０、１１と形式的に補正するものである。
　
　よって、本件補正は、特許法第１７条の２第３項、第４項の規定に該当するとともに、本件補正前の請求項１に記載された発明を特定するために必要な事項を限定するものであるから、特許法第１７条の２第５項第２号に掲げる特許請求の範囲の減縮を目的とするものに該当する。  
　
　そこで、本件補正後における特許請求の範囲に記載されている事項により特定される請求項１に係る発明（以下「本願補正発明」という。）が特許出願の際独立して特許を受けることができるものであるか（特許法第１７条の２第６項において準用する同法第１２６条第７項に規定する要件を満たすか）について以下に検討する。  
　  
　  
２　引用例及びその記載事項  
　  
（１）原査定の拒絶の理由に引用され、本願の優先権主張の日前に頒布された刊行物である特開２００４−２４６５０９号公報（平成１６年９月２日公開、以下「引用例１」という。）には、図面とともに以下の事項が記載されている（なお、下線は当審で付した。）。
　
ａ「【００１０】
【発明の属する技術分野】
本発明はインターネットなどに接続される情報家電などのポータル画面のサービスを提供する
　
ｂ「【００２０】
＜概要＞
【００２１】
図１は本実施形態の情報取得装置の概要の一例である。たとえば、利用者は休日に釣りに行きたいと思ったとする。そこで、情報取得装置が有する釣りのトピックを特集したポータル画面を表示するように情報取得装置などに指示する。すると、
情報取得装置は
ポータル画面コンテンツ情報と
テンプレートを基に、情報取得装置を有する情報家電などに釣り専門のポータル画面を表示させる。
【００２２】
＜構成＞
【００２３】
図２は実施形態１の機能ブロックの一例を示すものである。実施形態１の情報取得装置０２００はテンプレート保持部０２０１とポータル画面コンテンツ情報保持部０２０２と情報取得部０２０３とからなる。
【００２４】
「ポータル画面」とは、情報取得装置において情報を取得するための入り口となる画面をいう。たとえば、情報取得装置などの電源がオンにされた際にディスプレイに最初に表示される情報取得のための画面などをいう。一例として、情報取得装置は、通信用機器や情報処理装置などが内蔵されている情報による付加価値を高めた家庭用電化製品である。　
【００２５】
「テンプレート保持部」はテンプレートを複数保持する。
「テンプレート」とは、ポータル画面のポータル画面コンテンツ情報を表示するための形式を定めた情報である。
テンプレートの一例として、ポータル画面に利用するタイトルなどの文字及び画像の属性の情報、または、ポータル画面に利用する文字及び画像の情報の配置位置を決定する情報、
などを挙げることができる。「ポータル画面コンテンツ情報」とは、前記テンプレートを利用したポータル画面のコンテンツを構成するための情報である。たとえば、ポータル画面コンテンツ情報は、ポータル画面のコンテンツである特定のトピックの内容の情報であり、
　
ｃ「【００３２】
図３に本実施形態の釣り専門のポータル画面の一例を示す。釣り専門のポータル画面に表示される
ポータル画面コンテンツ情報として釣果の情報０３０１や著名な釣り場所の天気０３０２
や釣り場の地図０３０３や釣りに関連する道具の情報０３０４などが表示される。また、各地の釣りの同友会などの情報０３０５が表示される。
　
ｄ「【００３５】
＜処理の流れ＞
【００３６】
図６に示すのは実施形態１のフローの一例である。
実施形態１は以下のステップを有してもよい。
テンプレートを取り出す（ステップＳ０６０２）。そして、テンプレートと関連するポータル画面コンテンツ情報を取り出す（ステップＳ０６０３）。そして、テンプレートとポータル画面コンテンツ情報よりポータル画面を構成する（ステップＳ０６０４）。
　
ｅ「【０１３６】
実施形態９の情報取得装置は情報家電である。たとえば、情報家電などに本実施形態の情報取得装置が内蔵されてもよい。「情報家電」とは、通信用機器や情報処理装置などが内蔵されている、情報による付加価値を高めた家庭用電化製品をいう。例えば、情報家電は、インターネットに接続して情報の送受信をする機能を有している。そして、利用者が情報家電などの外観からは情報取得装置が具備されていることがわからないように内蔵されている。
たとえば、本実施形態の情報家電とは、
ＤＶＤプレーヤ
などである。
　
ア　上記ａの「【００１０】【発明の属する技術分野】本発明はインターネットなどに接続される情報家電などのポータル画面のサービスを提供する‥‥‥」との記載において、情報家電は、具体的には、上記ｅの「【０１３６】‥‥‥たとえば、本実施形態の情報家電とは、‥‥‥ＤＶＤプレーヤ‥‥‥などである。」との記載から、ＤＶＤプレーヤということができるから、引用例１には、「インターネットなどに接続されるＤＶＤプレーヤのポータル画面のサービスの提供」について記載されているということができる。
　
イ　上記ｂの「【００２１】‥‥‥情報取得装置は‥‥‥ポータル画面コンテンツ情報と‥‥‥テンプレートを基に、情報取得装置を有する情報家電などに釣り専門のポータル画面を表示させる。‥‥‥」との記載において、ポータル画面を表示させる情報取得装置を有する情報家電は、ＤＶＤプレーヤと捉えることができるから（上記ア）、引用例１には、ＤＶＤプレーヤのポータル画面のサービスの提供において、「ポータル画面コンテンツ情報とテンプレートを基に、ポータル画面を表示させる」ことが記載されているということができる。
　
ウ　上記ｄの「【００３６】‥‥‥実施形態１は以下のステップを有してもよい。‥‥‥テンプレートを取り出す（ステップＳ０６０２）。そして、テンプレートと関連するポータル画面コンテンツ情報を取り出す（ステップＳ０６０３）。そして、テンプレートとポータル画面コンテンツ情報よりポータル画面を構成する（ステップＳ０６０４）。‥‥‥」との記載から、各ステップは方法として捉えることができ、また、この方法は、ポータル画面を構成して、ＤＶＤプレーヤのポータル画面のサービスを提供する（上記ア）方法ということができるから、引用例１には、「テンプレートを取り出すステップと、テンプレートと関連するポータル画面コンテンツ情報を取り出すステップと、テンプレートとポータル画面コンテンツ情報よりポータル画面を構成するステップと、を有する、」「ＤＶＤプレーヤのポータル画面のサービスを提供する方法」が記載されているということができる。
　
エ　上記ｂの「【００２５】‥‥‥「テンプレート」とは、ポータル画面のポータル画面コンテンツ情報を表示するための形式を定めた情報である。‥‥‥テンプレートの一例として、ポータル画面に利用する文字及び画像の情報の配置位置を決定する情報、‥‥‥などを挙げることができる。「ポータル画面コンテンツ情報」とは、前記テンプレートを利用したポータル画面のコンテンツを構成するための情報である。たとえば、ポータル画面コンテンツ情報は、ポータル画面のコンテンツである特定のトピックの内容の情報であり、‥‥‥」との記載から、引用例１には、「テンプレートは、ポータル画面に利用する文字及び画像の情報の配置位置を決定する情報を含む」ことが記載されているということができる。
　
オ　上記ｂの「【００２５】‥‥‥「ポータル画面コンテンツ情報」とは、前記テンプレートを利用したポータル画面のコンテンツを構成するための情報である。‥‥‥」との記載において、「ポータル画面コンテンツ情報」とは、具体的には、上記ｃの「【００３２】‥‥‥ポータル画面コンテンツ情報として釣果の情報０３０１や著名な釣り場所の天気０３０２‥‥‥や釣り場の地図０３０３や釣りに関連する道具の情報０３０４などが表示される。また、各地の釣りの同友会などの情報０３０５が表示される。」との記載から、「ポータル画面コンテンツ情報は、釣果の情報釣果の情報、著名な釣り場所の天気、釣り場の地図などの情報」であるといえるから、引用例１には、「ポータル画面コンテンツ情報は、ポータル画面のコンテンツを構成するための情報であって、具体的には、釣果の情報、著名な釣り場所の天気、釣り場の地図などの情報が表示される」ことが記載されているということができる。
　
　したがって、上記引用例１に記載された事項、図面の記載、及び上記アないしオを総合すると、引用例１には、次の事項が記載されている（以下、引用発明という。）。 
　
「インターネットなどに接続されるＤＶＤプレーヤのポータル画面のサービスの提供において、
　ポータル画面コンテンツ情報とテンプレートを基に、ポータル画面を表示させるものであって、
　テンプレートを取り出すステップと、
　テンプレートと関連するポータル画面コンテンツ情報を取り出すステップと、
　テンプレートとポータル画面コンテンツ情報よりポータル画面を構成するステップと、
　を有し、
　テンプレートは、ポータル画面に利用する文字及び画像の情報の配置位置を決定する情報を含み、
　ポータル画面コンテンツ情報は、ポータル画面のコンテンツを構成するための情報であって、具体的には、釣果の情報、著名な釣り場所の天気、釣り場の地図などの情報を表示する、
　ＤＶＤプレーヤのポータル画面のサービスを提供する方法。」
　
（２）原査定に周知例として引用され、本願の優先権主張の日前に頒布された刊行物である特開２００２−８２７４６号公報（平成１４年３月２２日公開、以下「引用例２」という。）には、図面とともに以下の事項が記載されている（なお、下線は当審で付した。）。
　
「【００１１】このような問題点に対して、本発明は端末側で
ポータルサイトの画面レイアウトを利用者が任意に変更できるシステムを提供する
　
「【００４７】図３は
顧客の情報及びポータルサイトを構成する
情報（属性）を記憶するデータベースのテーブルを示す
このようなテーブルが顧客毎の固有情報としてユニークに構成されている。このテーブルは
項目、内容から構成され、レコード１では
項目「お得意様コード」、
である。
項目「カレンダー」が、内容「５４０,１５０：表示する」である。すなわち、情報端末１２の画面上で座標が５００，１５０（左上を座標の原点とする）の位置にカレンダーを表示することを意味している。
【００４８】
同様に
お知らせ、
の表示／非表示や画面上の表示位置の情報を格納しているものである。
　
　上記記載から、引用例２には、ポータルサイトの画面レイアウトを利用者が任意に変更できるシステムを提供するにあたり（【００１１】）、顧客の情報及びポータルサイトを構成する情報（属性）を記憶するデータベースのテーブルが、顧客毎の固有情報としてユニークに構成され、具体的には、「お得意様コード」、及び「カレンダー」の、情報端末１２の画面上での表示座標が格納され（【００４７】）、同様に「お知らせ」についても表示座標が格納されている（【００４８】、図３）ことが記載されているといえる。
　
　ここで、「カレンダー」、「お知らせ」がポータルサイトの画面レイアウトの対象であることは明らかであるから、引用例２には、次の技術事項が記載されているということができる。
　
「ポータルサイトの画面レイアウトを利用者が任意に変更するにあたり、顧客毎の固有情報（「お得意様コード」）に対応してポータルサイトを構成するテーブルに格納された、情報端末１２の画面上での表示座標を用い、カレンダー、お知らせを表示すること。」
　
（３）原査定に周知例として引用され、本願の優先権主張の日前に頒布された刊行物である特開２００４−７８２７６号公報（平成１６年３月１１日公開、以下「引用例３」という。）には、図面とともに以下の事項が記載されている（なお、下線は当審で付した。）。
　
「【００１３】
図２は前述で説明したポータルシステムへのアクセス時の処理動作を説明するフローチャート、図３はシステムへのアクセス時にクライアントに送られるポータル画面の例を示す図であり、次に、これについて説明する。
【００１４】
まず、クライアント２０１からリクエストがＷｅｂサーバ２０２に届くと（ステップ３０１）、ポータルのコンテンツ管理部がユーザの認証を行う（ステップ３０２）。この認証が終了すれば、ポータル画面がクライアント２０１送られ、ユーザは、ポータルにアクセスすることが可能となり（ステップ３０３）、そこから従来システム２０７、ポータル用ホームページ２０８にアクセスする（ステップ３０４）。ユーザは、システムの使用が終了したら、ログアウトをして処理を終了する（ステップ３０５）。
【００１５】
前述したように、ユーザがクライアント２０１を使用してポータルシステム２００にログインすると、図３に示すようなポータル画面がポータルシステム２００を構成するＷｅｂサーバ２０２から送られてクライアント２０１の表示装置に表示される。
このポータル画面は、認証されたユーザがすでに自分用にカスタマイズしたポータル画面を有している場合、コンテンツ管理テーブル２０６から読み出されたそのユーザのポータル画面
である。
　
「【００２７】
図６はコンテンツ管理テーブルの構成例を説明する図である。
コンテンツ管理テーブル２０６は、ユーザ毎のポータル画面のポートレットの配置を記録管理するテーブルであり、ユーザ名４０７を記述するユーザ欄４０１と、
複数のポートレットの名前４０６、それぞれの表示位置の情報を記述するコンテンツ欄４０３から構成される。
【００２８】
図５により説明した処理で、
ユーザが自分のポータル画面のカスタマイズ処理を終了し、それを登録すると、そのカスタマイズしたポータル画面の情報が
格納され、以後、ユーザが
ポータルシステム２００にアクセスしたとき、このコンテンツ管理テーブル２０６の内容に基づいて、そのユーザ用のカスタマイズされたポータル画面が
表示される。
　
　上記記載から、引用例３には、ユーザがポータルシステム２００にアクセスしたとき、このコンテンツ管理テーブル２０６の内容に基づいて、そのユーザ用のカスタマイズされたポータル画面を表示する（【００２８】）にあたり、コンテンツ管理テーブル２０６には、ユーザ名４０７、複数のポートレットの名前４０６、それぞれの表示位置の情報が記述され、ユーザ毎のポータル画面のポートレットの配置が記録管理されている（【００２７】）ことが記載されているといえる。
　
　したがって、引用例３には、次の技術事項が記載されているということができる。
　
「ユーザー名に対応したポートレットの表示位置情報に基づいて、ポータル画面のポートレットの配置がカスタマイズされたポータル画面が表示されること。」
　
（４）原査定に周知例として引用され、本願の優先権主張の日前に頒布された刊行物である特開２００６−２３９７２号公報（平成１８年１月２６日公開、以下「引用例４」という。）には、図面とともに以下の事項が記載されている（なお、下線は当審で付した。）。
　
「【００２０】
  本ポータルシステムを利用する際は、個人を特定するためにログインする必要があり、利用者はユーザ情報管理テーブル１０７に登録されている必要がある。このため本実施形態による前記ユーザ情報管理テーブル１０７は、図１１に示す如く、ユーザ毎にユニークに設定されたユーザＩＤ１１０１と、その氏名１１０２と、ユーザの所属組織を表す所属コード１１０３と、ユーザの役職を表す役職コード１１０４と、ログイン認証のためのパスワード１１０５との各欄とから構成される。該所属コード１１０３及び役職コード１１０４は、企業情報ポータルにおいて所属部署や役職によってアクセスできる情報に制限をかける場合等に用いるものであって、インターネット上などで不特定多数に向けて提供するサービスの場合は不要なものである。レイアウト管理テーブル１０８
【００２１】
  
レイアウト管理テーブル１０８は、
個人毎にレイアウト情報を格納するものであって、
利用者を特定するユーザＩＤ１１０１と、ポートレットの並びを表すレイアウト情報１２０２の各欄から構成される。
【００２２】
  この様に構成されたシステムは、ユーザがクライアント１０１を使用し、ネットワークを介してポータルサーバ１００内のＨＴＴＰサーバ１０２にリクエストを出すと、
クライアント１０１が
ポータルの描画プログラム１０３を呼び出し、この描画プログラム１０３が
レイアウト管理テーブル１０８を参照してユーザのレイアウト情報を取得し、そのレイアウト情報により指定された並びに従って各ポートレットのプログラム１０４を呼び出して描画を行う様に動作する。
　
　上記記載から、引用例４には、クライアント１０１がポータルの描画プログラム１０３を呼び出し、この描画プログラム１０３がレイアウト管理テーブル１０８を参照してユーザのレイアウト情報を取得し、そのレイアウト情報により指定された並びに従って各ポートレットのプログラム１０４を呼び出して描画するにあたり（【００２２】）、レイアウト管理テーブル１０８は、個人毎にレイアウト情報を格納するものであって、利用者を特定するユーザＩＤ１１０１と、ポートレットの並びを表すレイアウト情報１２０２からなる（【００２１】）ことが記載されているといえる。
　
　したがって、引用例４には、次の技術事項が記載されているということができる。
　
「ポータルを描画するにあたり、利用者を特定するユーザＩＤに対応して、ポートレットの並びを表すレイアウト情報を参照し、各ポートレットを描画すること。」
　
　
３　対比  
　  
　本願補正発明と引用発明とを対比する。
　  
（１）引用発明の「ＤＶＤプレーヤ」は、「ディスク媒体再生装置」といえるから、引用発明の「ＤＶＤプレーヤ」は、本願補正発明の「ディスク媒体再生装置」に相当する。 
　 
（２）引用発明の「ポータル画面のサービス」は、「具体的には、釣果の情報、著名な釣り場所の天気、釣り場の地図などの情報を表示する」サービスということができ、このようなポータル画面のサービスはデータアプリケーションを用いるものであって、データアプリケーションの提供を前提にするものといえるから、引用発明の「ポータル画面のサービスの提供」は、本願補正発明の「データアプリケーションの提供」と捉えることができる。
　 
（３）引用発明の「テンプレートを取り出すステップ」において、「テンプレートは、ポータル画面に利用する文字及び画像の情報の配置位置を決定する情報を含」むことから、「テンプレート」は、ポータル画面という場面を構成する情報、すなわち場面構成情報ということができる。
　そして、ポータル画面は、「データアプリケーション」が提供されて作成されるものであるから（上記（２））、場面構成情報は、「データアプリケーションの場面に対する場面構成情報」と捉えることができ、したがって、引用発明の「テンプレートを取り出すステップ」は、本願補正発明と、「（ａ）前記データアプリケーションの場面に対する場面構成情報を獲得する段階」である点で共通する。
　
（４）引用発明の「テンプレートと関連するポータル画面コンテンツ情報を取り出すステップ」において、「テンプレートは、」「ポータル画面に利用する文字及び画像の情報の配置位置を決定する情報を含」むことから、「ポータル画面コンテンツ情報」、すなわち、「ポータル画面のコンテンツを構成するための情報であって、具体的には、釣果の情報釣果の情報、著名な釣り場所の天気、釣り場の地図などの情報」の配置位置をテンプレート、すなわち場面構成情報に基づいて決定するものということができる。
　そして、「ポータル画面コンテンツ情報」、すなわち、ポータル画面における「釣果の情報」、「著名な釣り場所の天気」、「釣り場の地図」は、それぞれ、ポータル画面の内容を構成するコンポーネントと捉えることができるから、引用発明の「テンプレートと関連するポータル画面コンテンツ情報を取り出すステップ」は、本願補正発明の「前記場面構成情報に基づいて前記場面を構成する２つ以上のコンポーネントを獲得する段階」である点で共通する。
　
（５）引用発明の「テンプレートとポータル画面コンテンツ情報よりポータル画面を構成するステップ」において、「ポータル画面」は、ポータル画面を構成するデータアプリケーションが提供されることによってなされるということができ、また、引用発明の「テンプレート」、「ポータル画面のコンテンツを構成するための情報であって、具体的には、釣果の情報、著名な釣り場所の天気、釣り場の地図などの情報」である「ポータル画面コンテンツ情報」は、それぞれ、本願補正発明の「場面構成情報」、「コンポーネント」に相当するから、引用発明の「テンプレートとポータル画面コンテンツ情報よりポータル画面を構成するステップ」は、本願補正発明の「（ｃ）前記場面構成情報および前記２つ以上のコンポーネントに基づいて前記データアプリケーションを提供する段階」と捉えることができる。
　
（６）引用発明は「テンプレートとポータル画面コンテンツ情報よりポータル画面を構成するステップ」を有し、「テンプレートは、ポータル画面に利用する文字及び画像の情報の配置位置を決定する情報を含」むものであるから、「テンプレート」は、「ポータル画面コンテンツ情報」の配置位置を決定するものであるから、引用発明の「テンプレート」は、本願補正発明と、「前記場面構成情報は、場面に対する場面構成を定義」する点で共通する。
　
（７）引用発明は「テンプレートとポータル画面コンテンツ情報よりポータル画面を構成するステップ」を有し、「テンプレートは、ポータル画面に利用する文字及び画像の情報の配置位置を決定する情報を含」むものであるから、「テンプレート」は、「ポータル画面コンテンツ情報」、すなわち、「釣果の情報」、「著名な釣り場所の天気」、「釣り場の地図」などの情報の配置位置を決定する情報を含むものであり、また、「配置位置を決定する情報」は、「レイアウト情報」と捉えることができる。
　したがって、引用発明の「テンプレート」は、本願補正発明の「前記場面構成情報は、前記２つ以上のコンポーネントの配置を定義するレイアウト情報を含」むものである。
　
（８）引用発明は「テンプレートとポータル画面コンテンツ情報よりポータル画面を構成するステップ」を有し、ここで、「テンプレート」は、「レイアウト情報を含」むものであり（上記（７））、これにより、「ポータル画面コンテンツ情報」の配置位置、すなわち、ポータル画面に対するレイアウトを決定するものということができるから、引用発明の前記ステップは、「（ｃ−１）前記レイアウト情報に基づいて前記場面に対するレイアウトを構成する段階」を含むものである。
　
（９）引用発明は「ポータル画面コンテンツ情報とテンプレートを基に、ポータル画面を表示させる」ものであって、具体的には、テンプレートに従って、ポータル画面コンテンツ情報である、釣果の情報、著名な釣り場所の天気、釣り場の地図などを表示するものということができる。
　ここで、「ポータル画面のコンテンツを構成するための情報であって、具体的には、釣果の情報、著名な釣り場所の天気、釣り場の地図などの情報」である「ポータル画面コンテンツ情報」は、本願補正発明の「コンポーネント」に相当し（上記（５））、「テンプレート」は、「レイアウト情報を含」むものであり、レイアウト情報に従って、「ポータル画面コンテンツ情報」、すなわち、「釣果の情報」、「著名な釣り場所の天気」、「釣り場の地図」などの情報の配置位置を決定するものといえるから（上記（７））、引用発明の「ポータル画面コンテンツ情報とテンプレートを基に、ポータル画面を表示させる」ことは、本願補正発明の「（ｃ−２）前記レイアウトに従って前記２つ以上のコンポーネントを各々ディスプレイする段階」を含むものである。
　
（１０）引用発明の「ポータル画面のサービスを提供する方法」において、「ポータル画面のサービスを提供する」ことは、ポータル画面を構成するデータアプリケーションが提供されること（上記（５））と捉えることができるから、本願補正発明の「データアプリケーションの提供方法」に相当する。
　
　すると、本願補正発明と引用発明とは、次の＜一致点＞及び＜相違点＞を有する。  
　 
＜一致点＞  
「ディスク媒体再生装置のデータアプリケーションの提供方法において、
　（ａ）前記データアプリケーションの場面に対する場面構成情報を獲得する段階と、
　（ｂ）前記場面構成情報に基づいて前記場面を構成する２つ以上のコンポーネントを獲得する段階と、
　（ｃ）前記場面構成情報および前記２つ以上のコンポーネントに基づいて前記データアプリケーションを提供する段階と、
を含み、
　前記場面構成情報は、場面に対する場面構成を定義し、
　前記場面構成情報は、前記２つ以上のコンポーネントの配置を定義するレイアウト情報を含み、
　前記（ｃ）段階は、
　（ｃ−１）前記レイアウト情報に基づいて前記場面に対するレイアウトを構成する段階と、
　（ｃ−２）前記レイアウトに従って前記２つ以上のコンポーネントを各々ディスプレイする段階と、
を含む、
　データアプリケーションの提供方法。」
　
＜相違点＞  
（ア）本願補正発明は、「前記ディスク媒体再生装置の識別情報および前記ディスク媒体再生装置を使う使用者の識別情報中、少なくとも一つに基づいて選択される場面」に対する場面構成であるのに対し、引用発明は、このような特定がない点。
　
（イ）本願補正発明は「前記（ｃ−２）段階は、前記２つ以上のコンポーネントのうち１つのコンポーネントを受信後ディスプレイした後に別のコンポーネントを受信後ディスプレイするように、受信した順序に従って各コンポーネントを順次ディスプレイする段階を含む」のに対し、引用発明は、このような特定がない点。  
　  
　  
４　判断  
　  
（１）請求項１について
　
＜相違点＞（ア）について  
　利用者、ユーザー名、ユーザーＩＤに対応して配置（レイアウト）されたポータル画面のコンテンツを表示することは、例えば、引用例２（上記２（２））、引用例３（上記２（３））、引用例４（上記２（４））に記載されているように周知な事項であり、このような配置（レイアウト）は、ユーザーに基づいて選択された配置（レイアウト）ということができるから、引用発明において、「テンプレートとポータル画面コンテンツ情報よりポータル画面を構成する」にあたり、ユーザーの識別情報に基づいて、ポータル画面を構成することに格別の困難性を有しない。
　したがって、本願補正発明のように「ディスク媒体再生装置を使う使用者の識別情報に基づいて選択される場面」に対する場面構成とすることは当業者が容易になし得る事項である。
　
　そして、本願補正発明において、「場面」の「選択」は、「前記ディスク媒体再生装置の識別情報」と「前記ディスク媒体再生装置を使う使用者の識別情報」のいずれかに基づいてなされるものであって、選択的な記載であるから、本願補正発明の＜相違点＞（ア）に係る構成のようにすることは当業者が容易になし得る事項である。
　
＜相違点＞（イ）について  
　本願補正発明は「前記２つ以上のコンポーネントのうち１つのコンポーネントを受信後ディスプレイした後に別のコンポーネントを受信後ディスプレイする」ものであって、２つ以上のコンポーネントのうち、１つのコンポーネントに対する一連の処理（受信→ディスプレイ）が終わって初めて別のコンポーネントに対する一連の処理（受信→ディスプレイ）を行うものである（本願審判請求書３．（３．１））。
　一方、引用発明は、「ポータル画面コンテンツ情報は、ポータル画面のコンテンツを構成するための情報であって、具体的には、釣果の情報、著名な釣り場所の天気、釣り場の地図などの情報」であって、「ポータル画面コンテンツ情報」、すなわち、ポータル画面における「釣果の情報」、「著名な釣り場所の天気」、「釣り場の地図」は、それぞれ、ポータル画面の内容を構成するコンポーネントと捉えることができるから（上記３（４））、本願発明の「２つ以上のコンポーネント」を有するものの、「釣果の情報」、「著名な釣り場所の天気」、「釣り場の地図」をそれぞれどのように受信して表示するか、すなわち、例えば、「釣果の情報」を受信後表示した後に、「著名な釣り場所の天気」を受信後表示することについて特定がない。
　また、引用例２ないし４の記載をみても、本願発明の特定事項である、「前記２つ以上のコンポーネントのうち１つのコンポーネントを受信後ディスプレイした後、別のコンポーネントを受信後ディスプレイする」ことについて記載も示唆もない。
　そして、このような処理を行うことによって、データアプリケーションの大きさが大きすぎる場合、メモリーの大きさやＣＰＵなどの処理速度などのようなディスク媒体再生装置の資源の限界によってデータアプリケーションを実行することができないという問題点（本願明細書段落【００１０】）を解決し、提供可能なデータアプリケーションの大きさに対する制限を最小化する（本願明細書段落【００１４】）という作用効果を奏するものである。
　
　したがって、補正発明は、引用発明及び引用例２ないし４に記載された発明に基いて、当業者が容易に発明をすることができたとはいえない。
　
（２）請求項２ないし１１について
　
　請求項２ないし１１は、請求項１を直接または間接的に引用する請求項である。したがって、請求項２ないし１１は、請求項１に従属する請求項であり、本願補正発明の発明特定事項をすべて含みさらに発明特定事項を追加して限定したものであるから、上記（１）と同じ理由により、引用発明及び引用例２ないし４に記載された発明に基づいて当業者が容易に発明をすることができたとはいえない。 
　
　よって、本件補正は、特許法第１７条の２第６項において準用する同法第１２６条第７項の規定に適合する。 
　
　
５　本件補正についてのむすび 
　
　本件補正は、特許法第１７条の２第３項ないし第６項の規定に適合する。 
  
　  
第３　本願発明について  
　  
　本件補正は上記のとおり、特許法１７条の２第３項ないし第６項の規定に適合するから、本願の請求項１ないし１１に係る発明は、本件補正により補正された特許請求の範囲の請求項１ないし１１に記載された事項により特定されるとおりのものである。 
　そして、本願については、原査定の拒絶理由を検討してもその理由によって拒絶すべきものとすることはできない。 
　また、他に本願を拒絶すべき理由を発見しない。 
　
　よって、結論のとおり審決する。